(57)【特許請求の範囲】
【請求項１】
シールド工事に用いるセグメントを管理するセグメント情報管理システムであって、
前記セグメントに使用されたコンクリートを製造するための容器に予め付される容器識別情報部と、
前記セグメントを成型するための型枠に予め付される型枠識別情報部と、
前記型枠によって成型された前記セグメントに付されるセグメント識別情報部と、
前記容器識別情報部、前記型枠識別情報部および前記セグメント識別情報部に格納された情報を読み取る読取部と、
制御部と、を備え、
前記容器識別情報部には、前記容器を識別する容器識別情報が格納されており、
前記型枠識別情報部には、前記型枠を識別する型枠識別情報が格納されており、
前記セグメント識別情報部には、前記セグメントを識別するセグメント識別情報が格納されており、
前記制御部は、ユーザによる前記読取部を用いた前記容器識別情報部、前記型枠識別情報部および前記セグメント識別情報部の読み取り操作に基づいて、前記容器識別情報、前記型枠識別情報および前記セグメント識別情報を取得し、取得した前記容器識別情報と前記型枠識別情報との関連付け、かつ、取得した前記型枠識別情報と前記セグメント識別情報との関連付けを行う情報関連付け手段を備える、ことを特徴とするセグメント情報管理システム。
【請求項２】
シールド工事に用いるセグメントに使用されたコンクリートを製造するための容器に予め付される容器識別情報部と、前記セグメントを成型するための型枠に予め付される型枠識別情報部と、前記型枠によって成型された前記セグメントに付されるセグメント識別情報部と、前記容器識別情報部、前記型枠識別情報部および前記セグメント識別情報部に格納された情報を読み取る読取部と、を使用したセグメント情報管理方法であって、
前記容器識別情報部には、前記容器を識別する容器識別情報が格納されており、
前記型枠識別情報部には、前記型枠を識別する型枠識別情報が格納されており、
前記セグメント識別情報部には、前記セグメントを識別するセグメント識別情報が格納されており、
前記読取部を用いて前記容器識別情報部および前記型枠識別情報部から前記容器識別情報および前記型枠識別情報を取得するステップと、
取得した前記容器識別情報と前記型枠識別情報との関連付けを行う第一の情報関連付けステップと、
前記読取部を用いて前記型枠識別情報部および前記セグメント識別情報部から前記型枠識別情報および前記セグメント識別情報を取得するステップと、
取得した前記型枠識別情報と前記セグメント識別情報との関連付けを行う第二の情報関連付けステップとを有する、ことを特徴とするセグメント情報管理方法。
【発明の詳細な説明】
【技術分野】
【０００１】
本発明は、セグメント情報管理システムおよびセグメント情報管理方法に関する。
【背景技術】
【０００２】
シールド工法を用いたトンネル工事（シールド工事）においては、多数のセグメントをシールドマシンによってリング状に順次組み立てることによって、トンネルを構築していく。シールド工事によって構築されたトンネルは、当該トンネルの供用後も将来に亘って長期間、適切に管理されなければならない。その為、多数組み立てられた各セグメントの製造データを、生産履歴等を含めて管理すると共に、組み立てられた各リングのセグメントの施工データを、漏れの無いないように管理することが望ましい。
【０００３】
従来、セグメントの生産履歴等を含めた製造データを、組み立てられた各リングのセグメントの施工データと結合させて管理するセグメント管理システムが提案されている（特許文献１参照）。
【先行技術文献】
【特許文献】
【０００４】
【特許文献１】特開２０１０−１９６４４４号公報
【発明の概要】
【発明が解決しようとする課題】
【０００５】
しかしながら、特許文献１に記載される技術では、セグメントを製造する前の情報（例えば、セグメントに使用されたコンクリートに関する情報や打設作業に関する情報など）を適切に管理することが難しかった。つまり、特許文献１に記載される技術では、セグメントの製造データをセグメントに取り付けられた識別情報部（バーコード等）のみで管理している。その為、識別情報部をセグメントに付することができない段階では、識別情報部以外の手段で製造データを管理しておき、セグメントの製造後に作業員による入力操作などによって後から識別情報部に対して関連付けを行っていた。このような手法では、ヒューマンエラーが発生する可能性がある。
【０００６】
このような観点から、本発明は、セグメントに識別情報部を付す前の段階の情報についても適切に管理することができるセグメント情報管理システムおよびセグメント情報管理方法を提供する。
【課題を解決するための手段】
【０００７】
本発明の発明者は、型枠にコンクリートを打設してから脱型するまでの期間、成型中のセグメントが型枠を占有することにより型枠と成型中のセグメントとが必ず１対１の関係になることに着目した。そして、セグメントに識別情報部を付す前の情報を型枠に対応付けておき、型枠に対して対応付けた情報を脱型後にセグメントに引き継ぐようにする。ここで、セグメントに識別情報部を付す前の情報とは、例えば、セグメントに使用されたコンクリートに関する情報や打設作業に関する情報などである。
【０００８】
前記課題を解決するため、本発明に係るセグメント情報管理システムは、シールド工事に用いるセグメントを管理するセグメント情報管理システムである。セグメント情報管理システムは、セグメントに使用されたコンクリートを製造するための容器に予め付される容器識別情報部と、セグメントを成型するための型枠に予め付される型枠識別情報部と、型枠によって成型されたセグメントに付されるセグメント識別情報部とを備える。また、セグメント情報管理システムは、容器識別情報部、型枠識別情報部およびセグメント識別情報部に格納された情報を読み取る読取部と、制御部とを備える。前記容器識別情報部には、前記容器を識別する容器識別情報が格納されており、また、前記型枠識別情報部には、前記型枠を識別する型枠識別情報が格納されており、また、前記セグメント識別情報部には、前記セグメントを識別するセグメント識別情報が格納されている。
【０００９】
前記制御部は、ユーザによる前記読取部を用いた前記容器識別情報部、前記型枠識別情報部および前記セグメント識別情報部の読み取り操作に基づいて、前記容器識別情報、前記型枠識別情報および前記セグメント識別情報を取得し、取得した前記容器識別情報と前記型枠識別情報との関連付け、かつ、取得した前記型枠識別情報と前記セグメント識別情報との関連付けを行う情報関連付け手段を備える。
【００１０】
本発明に係るセグメント情報管理システムにおいては、ユーザによる読取部を用いた型枠識別情報部およびセグメント識別情報部の読み取り操作に基づいて、前記型枠識別情報と前記セグメント識別情報との関連付けを行う。これによって、型枠識別情報をセグメント識別情報に引き継ぐことができるので、セグメント識別情報部をセグメントに付す前の情報である型枠識別情報を適切に管理することができる。なお、型枠識別情報に対して打設作業に関する打設情報を対応づけておけば、さらに打設情報の引き継ぎを行うことも可能である。
また、本発明に係るセグメント情報管理システムにおいては、ユーザによる読取部を用いた前記容器識別情報部および前記型枠識別情報部の読み取り操作に基づいて、前記容器識別情報と前記型枠識別情報との関連付けを行う。これによって、型枠識別情報を介して容器識別情報をセグメント識別情報に引き継ぐことができるので、セグメント識別情報部をセグメントに付す前の情報である容器識別情報を適切に管理することができる。なお、容器識別情報に対してセグメントに使用されたコンクリートに関するコンクリート情報を対応づけておけば、さらにコンクリート情報の引き継ぎを行うことも可能である。
【発明の効果】
【００１３】
本発明によれば、セグメントに識別情報部を付す前の情報についても適切に管理することができる。
【図面の簡単な説明】
【００１４】
【図１】シールド工事の全体の流れを示すフローチャートの例示である。
【図２】本発明の実施形態の概要を説明するための図である。
【図３】本発明の実施形態に係るセグメント情報管理システムの概略構成図である。
【図４】コンクリート製造工程から脱型工程までの処理を示すシーケンス図である。
【図５】寸法計測工程から出荷工程までの処理を示すシーケンス図である。
【図６】搬入工程から設置工程までの処理を示すシーケンス図である。
【図７】本発明の実施形態に係るセグメント情報管理システムで用いるデータの構成図であり、（ａ）はコンクリート情報ＤＢのデータ構成例であり、（ｂ）は型枠情報ＤＢのデータ構成例である。
【図８】本発明の実施形態に係るセグメント情報管理システムで用いるデータの構成図であり、（ａ）ないし（ｅ）は各工程でのセグメント情報管理ＤＢのデータ構成例である。
【図９】本発明の実施形態に係るセグメント情報管理システムで用いるデータの構成図であり、（ａ）ないし（ｃ）は各工程でのセグメント情報管理ＤＢのデータ構成例である。
【発明を実施するための形態】
【００１５】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。なお、各図において、共通する構成要素や同様な構成要素については、同一の符号を付し、それらの重複する説明を省略する。
【００１６】
≪概要≫
図１を参照して、シールド工事の全体の流れを説明する。シールド工事は、主に、「トンネル工事準備工程」と、「トンネル工事施工工程」とからなる。
トンネル工事準備工程は、例えば、コンクリート製造工程（ステップＴ１０）、コンクリート打設工程（ステップＴ２０）、脱型工程（ステップＴ３０）、セグメントの寸法計測工程（ステップＴ４０）、仮置き工程（ステップＴ５０）からなる。
トンネル工事施工工程は、例えば、セグメントの出荷工程（ステップＴ６０）、工事現場への搬入工程（ステップＴ７０）、セグメントの設置工程（ステップＴ８０）からなる。
ここで、従来のシステムでは、セグメントが成型された後の寸法計測工程（ステップＴ４０）から設置工程（ステップＴ８０）までの情報管理を行うことが可能であった。しかし、セグメントが成型される前のコンクリート製造工程（ステップＴ１０）から脱型工程（ステップＴ３０）までの情報管理を他の手段で行わなければならなかった。したがって、ヒューマンエラーが発生する可能性があった。
【００１７】
一方、本発明の実施形態に係るシステムでは、図２に示すように、コンクリートの製造に使用するコンクリート容器（バッチ）Ｙに容器バーコードＢＹを予め付しておく。また、コンクリート打設工程でコンクリートを打設する型枠Ｋに型枠バーコードＢＫを予め付しておく。また、成型したセグメントＳにセグメントバーコードＢＳを付すようにする。
そして、コンクリート打設工程（ステップＴ２０）において、当該工程で用いるコンクリート容器Ｙに付される容器バーコードＢＹと型枠Ｋに付される型枠バーコードＢＫとを連続して読み取る。これによって、コンクリート製造工程で取得した情報をコンクリート容器Ｙから型枠Ｋに引き継ぐ。また、脱型工程（ステップＴ３０）において、型枠Ｋに付される型枠バーコードＢＫと当該型枠により成型されたセグメントＳに付したセグメントバーコードＢＳとを連続して読み取る。これによって、コンクリート製造工程で取得した情報や打設工程で取得した情報を型枠ＫからセグメントＳに引き継ぐ。その為、セグメントＳに識別情報部であるセグメントバーコードＢＳを付す前の情報についても適切に管理することが可能になる。以下、具体的な内容について説明する。
【００１８】
≪実施形態に係るセグメント管理システムの構成について≫
図３を参照して、実施形態に係るセグメント情報管理システム１の構成について説明する。以下では、本発明に関連する機能の説明を行うことにし、関連しない機能については説明を省略する。セグメント情報管理システム１は、シールド工事で使用されるセグメントＳの情報を管理するシステムである。セグメント情報管理システム１は、主に、持ち運び型のバーコードリーダ２，２と、入力装置３と、計測装置４と、シールドマシン５と、セグメント情報管理装置６とを備えて構成される。
【００１９】
バーコードリーダ２は、持ち運び可能であり、セグメント情報管理システム１のユーザが所有する。ここでは、ユーザとして、セグメント製造現場やトンネル工事現場で作業する作業員を想定しており、セグメント製造現場の作業員とトンネル工事現場の作業員とが所有する合計二つのバーコードリーダ２，２を図示している。なお、バーコードリーダ２を所有するユーザは、作業員以外の者であってもよく、バーコードリーダ２の数も特に限定されない。バーコードリーダ２は、容器バーコードＢＹ、型枠バーコードＢＫ、およびセグメントバーコードＢＳ（以下、まとめて「バーコードＢ」と呼ぶ場合がある）の読み取りに使用される読取部である。バーコードＢは、幅の異なるバーとスペースの組み合わせでできている。バーコードＢは、例えば、シール状の媒体に印刷されたものや媒体を介さない印刷であってよい。
容器バーコードＢＹには、コンクリート容器Ｙを識別する容器識別情報が格納されている。コンクリート容器Ｙには、コンクリートの原料（セメント、骨材、混和材、水、各種混和剤等）が投入され、これらをコンクリート容器Ｙ内において混練することによりセグメントＳを製造するためのコンクリートが製造される。例えば、コンクリート容器Ｙを用いた一回の工程で製造されたコンクリートから、複数のセグメントＳが製造される。
【００２０】
型枠バーコードＢＫには、型枠Ｋを識別する型枠識別情報が格納されている。型枠Ｋには、コンクリート容器Ｙで製造されたコンクリートが打設され、セグメントＳが成型される。型枠Ｋの種類は、シールド工事に用いるセグメントＳの種類に対応しており、例えば、４種類のセグメントを組み合わせてトンネル覆工を形成する場合には、型枠Ｋの種類も同じく４種類からなる。型枠Ｋにコンクリートを打設してから脱型するまでの期間は、成型中のセグメントＳが型枠Ｋを占有することになる。つまり、この期間は、型枠Ｋと成型中のセグメントＳとが必ず１対１の関係になる。
セグメントバーコードＢＳには、セグメントＳを識別するセグメント識別情報が格納されている。セグメントバーコードＢＳは、予め付される容器バーコードＢＹや型枠バーコードＢＫと異なり、脱型された後にセグメントＳに付されるものである。
【００２１】
また、バーコードリーダ２は、バーコードＢを読み取る機能に加えて、簡単な情報の入力を行える機能を有する。これにより、バーコードリーダ２は、バーコードＢから読み取った各種識別情報に加えて、入力された情報を関連付けてセグメント情報管理装置６に送信する。
【００２２】
入力装置３は、例えば、ＰＣ（Personal Computer）であり、セグメント製造現場で作業する作業員に操作され、セグメントＳの製造に関連する情報の入力に使用される。なお、本実施形態では、バーコードリーダ２が入力機能を有しているが、例えば、多量のデータの入力を行う場合に、バーコードリーダ２に代えて入力装置３が用いられる。入力装置３により入力される情報の種類は、適宜決められればよく、バーコードリーダ２によって全ての情報が入力されてもよい。
【００２３】
計測装置４は、成型されたセグメントＳの寸法を計測するものである。計測装置４は、セグメントＳの寸法を計測する非接触型の変位計（図示は省略）、変位計を支持する架台（図示は省略）の他、架台に取り付けられたバーコードリーダ４ａを備える。バーコードリーダ４ａは、計測位置にあるセグメントＳのセグメントバーコードＢＳに対向する位置に固定されており、セグメントバーコードＢＳを読み取る。計測装置４は、バーコードリーダ４ａによってセグメントバーコードＢＳから読み取ったセグメント識別情報に加えて、計測された計測結果情報を関連付けてセグメント情報管理装置６に送信する。なお、セグメントＳの寸法の計測は、計測装置４を用いずに作業員が手動で行ってもよい。その場合、作業員は、バーコードリーダ２を用いて人力でセグメントバーコードＢＳを読み取る。
【００２４】
シールドマシン５は、シールド工事で使用される建設機械である。シールドマシン５は、掘削を行うカッターディスク（図示は省略）、セグメントＳをリング状に組み立てるエレクタ（図示は省略）の他、エレクタに取り付けられたバーコードリーダ５ａを備える。エレクタは、セグメントＳを把持した状態で回転させ、セグメントＳを設置位置に移動させる。バーコードリーダ５ａは、エレクタによって把持されたセグメントＳのセグメントバーコードＢＳに対向する位置に固定されており、セグメントバーコードＢＳを読み取る。シールドマシン５は、バーコードリーダ５ａによってセグメントバーコードＢＳから読み取ったセグメント識別情報に加えて、セグメントＳを設置した設置情報を関連付けてセグメント情報管理装置６に送信する。なお、バーコードリーダ５ａは、エレクタ以外に取り付けられていてもよい。
【００２５】
セグメント情報管理装置６は、シールド工事で使用されるセグメントＳの情報を管理する装置である。セグメント情報管理装置６は、記憶部１０と、制御部２０とを備える。
記憶部１０は、ＲＡＭ（Random Access Memory）、ＲＯＭ（Read Only Memory）、ＨＤＤ（Hard Disk Drive）、フラッシュメモリ等の記憶媒体から構成される。制御部２０は、ＣＰＵ（Central Processing Unit）によるプログラム実行処理や、専用回路等により実現される。制御部２０がプログラム実行処理により実現する場合、記憶部１０には、制御部２０の機能を実現するためのプログラムが格納される。
【００２６】
記憶部１０は、コンクリート情報ＤＢ１１と、型枠情報ＤＢ１２と、セグメント情報管理ＤＢ１３とを備える。
コンクリート情報ＤＢ１１には、容器識別情報に対応づけてコンクリート情報が格納される。容器識別情報は、コンクリート容器Ｙを識別する情報であって、容器バーコードＢＹに格納される情報と同様である。コンクリート情報は、セグメントＳに使用されたコンクリートに関する情報である。コンクリート情報は、例えば、コンクリートを製造した製造場所（例えば、工場名）、製造日時、材料情報、品質試験結果情報などで構成される。品質試験結果情報は、例えば、スランプ、空気量、練り上がり温度、塩化物含有量、圧縮強度（繊維分散性、曲げ靭性）などである。コンクリート情報は、コンクリート製造工程でコンクリートが製造されるたびに更新される。
【００２７】
型枠情報ＤＢ１２には、型枠識別情報に対応づけて打設情報が格納される。型枠識別情報は、型枠Ｋを識別する情報であって、型枠バーコードＢＫに格納される情報と同様である。打設情報は、型枠Ｋを用いた打設に関する情報である。打設情報は、例えば、打設日時などで構成される。打設情報は、コンクリート打設工程でコンクリートが型枠Ｋ内に打設されるたびに更新される。
【００２８】
セグメント情報管理ＤＢ１３には、セグメント識別情報に対応づけてセグメント情報が格納される。セグメント識別情報は、セグメントＳを識別する情報であって、セグメントバーコードＢＳに格納される情報と同様である。セグメント情報は、セグメントＳに関する情報である。セグメント情報は、例えば、容器識別情報、コンクリート情報、型枠識別情報、打設情報、脱型情報、計測結果情報、仮置き関連情報、出荷関連情報、搬入関連情報、設置情報などで構成される。脱型情報は、セグメントＳの脱型に関する情報である。脱型情報は、例えば、脱型日時などで構成される。計測結果情報は、計測装置４によるセグメントＳの計測結果に関する情報である。計測結果情報は、例えば、セグメントＳの高さ、幅、肉厚、弧長、ボルト孔ピッチなどで構成される。仮置き関連情報は、セグメントＳの仮置きに関する情報である。仮置き関連情報は、例えば、仮置き開始日時、仮置き場所などで構成される。出荷関連情報は、セグメントＳの出荷に関する情報である。出荷関連情報は、例えば、出荷日時、運搬車番号、運送会社名、運転手名、出荷検査結果などで構成される。搬入関連情報は、セグメントＳの搬入に関する情報である。搬入関連情報は、例えば、工事現場への搬入日時、受入検査結果などで構成される。設置情報は、シールド工事におけるセグメントＳの設置に関する情報である。設置情報は、例えば、設置日時、設置場所などで構成される。セグメント情報は、脱型工程でセグメントが成型された場合に作成され、それ以降の各工程で更新される。
【００２９】
制御部２０は、成型前情報管理手段２１と、成型後情報管理手段２５とを備える。
成型前情報管理手段２１は、セグメントＳが成型されるまでの情報を管理する。具体的には、コンクリート製造工程（ステップＴ１０）〜脱型工程（ステップＴ３０）までの各工程で発生する情報を管理する。成型前情報管理手段２１は、コンクリート情報取得手段２２と、打設情報取得手段２３と、情報関連付け手段２４とをさらに備える。
【００３０】
コンクリート情報取得手段２２は、コンクリート製造工程において、バーコードリーダ２から容器識別情報を取得すると共に、入力装置３からコンクリート情報を取得する。そして、コンクリート情報取得手段２２は、容器識別情報とコンクリート情報とを対応付けてコンクリート情報ＤＢ１１に格納する。なお、入力装置３以外からコンクリート情報を取得してもよい。また、容器識別情報とコンクリート情報とを対応付けて取得してもよい。
打設情報取得手段２３は、コンクリート打設工程において、バーコードリーダ２から型枠識別情報および打設情報を取得する。そして、打設情報取得手段２２は、型枠識別情報と打設情報とを対応付けて型枠情報ＤＢ１２に格納する。なお、型枠識別情報および打設情報を対応付けて取得してもよい。
【００３１】
情報関連付け手段２４は、コンクリート打設工程において、作業員によるバーコードリーダ２を用いた容器バーコードＢＹおよび型枠バーコードＢＫの連続読み取り操作に基づいて、バーコードリーダ２から容器識別情報および型枠識別情報を取得する。そして、容器識別情報と型枠識別情報とを対応付けてセグメント情報管理ＤＢ１３に格納する。このときに、容器識別情報にはさらにコンクリート情報を対応付けてもよい。また、型枠識別情報にはさらに打設情報を対応付けてもよい。なお、容器識別情報と型枠識別情報との対応付けは、容器バーコードＢＹおよび型枠バーコードＢＫの連続読み取り操作によるものでなくてもよい。
また、情報関連付け手段２４は、脱型工程において、作業員によるバーコードリーダ２を用いた型枠バーコードＢＫおよびセグメントバーコードＢＳの連続読み取り操作に基づいて、バーコードリーダ２から型枠識別情報およびセグメント識別情報を取得する。そして、型枠識別情報とセグメント識別情報とを対応付けてセグメント情報管理ＤＢ１３に格納する。このときに、セグメント識別情報にはさらに脱型情報を対応付けてもよい。なお、型枠識別情報とセグメント識別情報との対応付けは、型枠バーコードＢＫおよびセグメントバーコードＢＳの連続読み取り操作によるものでなくてもよい。
【００３２】
成型後情報管理手段２５は、セグメントＳが成型された後の情報を管理する。具体的には、寸法計測工程（ステップＴ４０）〜設置工程（Ｔ８０）までの各工程で発生する情報を管理する。成型後情報管理手段２５は、バーコードリーダ２、計測装置４、シールドマシン５から情報を取得し、セグメント情報管理ＤＢ１３を更新する。
【００３３】
≪実施形態に係るセグメント管理システムの動作について≫
図４ないし図６（適宜、図３参照）を参照して、実施形態に係るセグメント情報管理システム１の動作について説明する。図４は、コンクリート製造工程（ステップＴ１０）から脱型工程（ステップＴ３０）までの処理を示すシーケンス図である。図５は、寸法計測工程（ステップＴ４０）から出荷工程（ステップＴ６０）までの処理を示すシーケンス図である。図６は、搬入工程（ステップＴ７０）から設置工程（ステップＴ８０）までの処理を示すシーケンス図である。
【００３４】
＜コンクリート製造工程＞
作業員Ｐは、コンクリート容器Ｙにコンクリートの原料を投入して、コンクリートを製造する（ステップＴ１１）。コンクリート容器Ｙには、容器バーコードＢＹが予め付されている。コンクリートを製造した後、作業員Ｐは、コンクリート容器Ｙ内のコンクリートの品質試験を実施し（ステップＴ１２）、また、バーコードリーダ２を用いて容器バーコードＢＹの読み取り操作を行う（ステップＴ１３）。なお、ステップＴ１１〜ステップＴ１３までの処理の順番はこれに限定されない。
【００３５】
バーコードリーダ２は、作業員Ｐによる容器バーコードＢＹの読み取り操作によって、容器識別情報を取得し（ステップＳ１１）、取得した容器識別情報をセグメント情報管理装置６に送信する（ステップＳ１２）。セグメント情報管理装置６のコンクリート情報取得手段２２は、バーコードリーダ２から受信した容器識別情報を入力装置３に送信する（ステップＳ１３）。これにより、入力装置３は、自身の表示画面（図示せず）に容器識別情報に対応した画面を表示可能になる。
【００３６】
続いて、作業員Ｐは、入力装置３を用いて、表示画面に表示された容器識別情報に対応したコンクリート容器Ｙで製造したコンクリートに関する情報（コンクリート情報）の入力を行う（ステップＴ１４）。入力装置３は、コンクリート情報を取得し（ステップＳ１４）、容器識別情報に対応づけて入力されたコンクリート情報をセグメント情報管理装置６に送信する（ステップＳ１５）。セグメント情報管理装置６のコンクリート情報取得手段２２は、入力装置３から受信したコンクリート情報に基づいて、コンクリート情報ＤＢ１１を更新する（ステップＳ１６）。これによって、コンクリート情報ＤＢ１１の内容は、例えば、図７（ａ）に示す状態になる。
【００３７】
＜コンクリート打設工程＞
作業員Ｐは、コンクリート容器Ｙ内のコンクリートを型枠Ｋ内に打設する（ステップＴ２１）。型枠Ｋには、型枠バーコードＢＫが予め付されている。続いて、作業員Ｐは、バーコードリーダ２を用いてコンクリート打設に関する打設情報を入力し、容器バーコードＢＹの読み取り操作を行い（ステップＴ２２）、また型枠バーコードＢＫの読み取り操作を行う（ステップＴ２３）。なお、ステップＴ２１〜ステップＴ２３までの処理の順番はこれに限定されない。
【００３８】
バーコードリーダ２は、作業員Ｐによる容器バーコードおよび型枠バーコードの読み取り操作によって、容器識別情報および型枠識別情報を取得し（ステップＳ２１）、取得した容器識別情報および型枠識別情報に対応づけて入力された打設情報をセグメント情報管理装置６に送信する（ステップＳ２２）。セグメント情報管理装置６の打設情報取得手段２３は、バーコードリーダ２から受信した打設情報に基づいて、型枠情報ＤＢ１２を更新する（ステップ２３）。これによって、型枠情報ＤＢ１２の内容は、例えば、図７（ｂ）に示す状態になる。
【００３９】
また、情報関連付け手段２４は、容器識別情報や型枠識別情報をキーにしてコンクリート情報ＤＢ１１や型枠情報ＤＢ１２を参照し、型枠識別情報に打設情報、容器識別情報およびコンクリート情報を関連付けた仮のセグメント情報を作成する。そして、仮のセグメント情報でセグメント管理情報ＤＢ１３を更新する（ステップ２４）。なお、この際に、セグメント識別情報については、未定にしておいてもよいし、仮の情報を設定しておいてもよい。これによって、セグメント情報管理ＤＢ１３の内容は、例えば、図８（ａ）に示す状態になる。
【００４０】
＜脱型工程＞
作業員Ｐは、所定時間が経過することで型枠Ｋ内のコンクリートが固まったら脱型を行い（ステップＴ３１）、成型されたセグメントＳにセグメントバーコードＢＳを付加する（ステップＴ３２）。セグメントバーコードＢＳの付加は、セグメントＳの表面にセグメントバーコードＢＳを貼ってもよいし、また、セグメントＳの表面に直接印刷してもよい。続いて、作業員Ｐは、バーコードリーダ２を用いて脱型に関する脱型情報を入力し、型枠バーコードＢＫの読み取り操作を行い（ステップＴ３３）、またセグメントバーコードＢＳの読み取り操作を行う（ステップＴ３４）。なお、ステップＴ３１〜ステップＴ３４までの処理の順番はこれに限定されない。また、型枠Ｋの一部をセグメントＳに残した状態で、セグメントＳの表面にセグメントバーコードＢＳを貼ってもよい。
【００４１】
バーコードリーダ２は、作業員Ｐによる型枠バーコードＢＫおよびセグメントバーコードＢＳの読み取り操作によって、型枠識別情報およびセグメント識別情報を取得し（ステップＳ３１）、取得した型枠識別情報およびセグメント識別情報に対応付けて脱型情報をセグメント情報管理装置６に送信する（ステップＳ３２）。セグメント情報管理装置６の情報関連付け手段２４は、バーコードリーダ２から受信した型枠識別情報をキーにしてセグメント管理情報ＤＢ１３から仮のセグメント情報を取得する。そして、情報関連付け手段２４は、仮のセグメント情報にバーコードリーダ２から受信したセグメント識別情報を関連付けてセグメント管理情報ＤＢ１３を更新する（ステップＳ３３）。これによって、セグメント管理情報ＤＢ１３の内容は、例えば、図８（ｂ）に示す状態になる。また、情報関連付け手段２４は、バーコードリーダ２から受信した脱型情報でセグメント管理情報ＤＢ１３を更新する（ステップＳ３４）。これによって、セグメント管理情報ＤＢ１３の内容は、例えば、図８（ｃ）に示す状態になる。
【００４２】
＜寸法計測工程＞
作業員Ｐは、セグメントバーコードＢＳが付されたセグメントを計測装置４に設置し（ステップＴ４１）、計測装置４に対して寸法の計測の開始を指示する（ステップＴ４２）。バーコードリーダ４ａは、セグメントバーコードＢＳの読み取りを開始してセグメント識別情報を取得し（ステップＳ４１）、取得したセグメント識別情報を計測装置４に送信する（ステップＳ４２）。計測装置４は、セグメントの寸法の計測を行い（ステップＳ４３）、バーコードリーダ４ａから受信したセグメント識別情報に対応付けて計測結果情報をセグメント情報管理装置６に送信する（ステップＳ４４）。セグメント情報管理装置６の成型後情報管理手段２５は、計測装置４から受信した計測結果情報でセグメント管理情報ＤＢ１３を更新する（ステップＳ４５）。これによって、セグメント管理情報ＤＢ１３の内容は、例えば、図８（ｄ）に示す状態になる。
【００４３】
＜仮置き工程＞
作業員Ｐは、セグメントＳを仮置き場所に移動させると共に（ステップＴ５１）、バーコードリーダ２を用いて仮置きに関する仮置き関連情報を入力し、セグメントバーコードＢＳの読み取り操作を行う（ステップＴ５２）。仮置き関連情報は、例えば、仮置きを開始した日時や仮置き場所などの情報であってよい。なお、作業員Ｐは、例えば、在庫管理として定期的にセグメントバーコードＢＳの読み取り操作を行ってもよい。
【００４４】
バーコードリーダ２は、セグメントバーコードＢＳの読み取りを開始してセグメント識別情報を取得し（ステップＳ５１）、取得したセグメント識別情報に関連付けて仮置き関連情報をセグメント情報管理装置６に送信する（ステップＳ５２）。セグメント情報管理装置６の成型後情報管理手段２５は、バーコードリーダ２から受信した仮置き関連情報でセグメント管理情報ＤＢ１３を更新する（ステップＳ５３）。これによって、セグメント管理情報ＤＢ１３の内容は、例えば、図８（ｅ）に示す状態になる。
【００４５】
＜出荷工程＞
作業員Ｐは、出荷に際して、バーコードリーダ２を用いて出荷に関する出荷関連情報を入力し、セグメントバーコードＢＳの読み取り操作を行う（ステップＴ６１）。出荷関連情報は、例えば、出荷日時、運搬車番号、運送会社名、運転手名、出荷検査結果などの情報であってよい。そして、作業員Ｐは、セグメントバーコードの読み取りを行ったセグメントを運搬車に積み込み出荷する（ステップＴ６２）。なお、ステップＴ６１〜ステップＴ６２までの処理の順番はこれに限定されない。また、出荷検査結果などの情報は、図示しないプリンタを用いて帳票として出力されてもよい。
【００４６】
バーコードリーダ２は、セグメントバーコードＢＳの読み取りを開始してセグメント識別情報を取得し（ステップＳ６１）、取得したセグメント識別情報に関連付けて出荷関連情報をセグメント情報管理装置６に送信する（ステップＳ６２）。セグメント情報管理装置６の成型後情報管理手段２５は、バーコードリーダ２から受信した出荷関連情報でセグメント管理情報ＤＢ１３を更新する（ステップＳ６３）。これによって、セグメント管理情報ＤＢ１３の内容は、例えば、図９（ａ）に示す状態になる。
【００４７】
＜搬入工程＞
作業員Ｐは、搬入後にセグメントＳを運搬車から積み下ろすと共に（ステップＴ７１）、バーコードリーダ２を用いて搬入に関する搬入関連情報を入力し、セグメントバーコードＢＳの読み取り操作を行う（ステップＴ７２）。搬入関連情報は、例えば、搬入日時や受入検査結果などの情報であってよい。なお、ステップＴ７１〜ステップＴ７２までの処理の順番はこれに限定されない。また、受入検査結果などの情報は、図示しないプリンタを用いて帳票として出力されてもよい。
【００４８】
バーコードリーダ２は、セグメントバーコードＢＳの読み取りを開始してセグメント識別情報を取得し（ステップＳ７１）、取得したセグメント識別情報に関連付けて搬入関連情報をセグメント情報管理装置６に送信する（ステップＳ７２）。セグメント情報管理装置６の成型後情報管理手段２５は、バーコードリーダ２から受信した搬入関連情報でセグメント管理情報ＤＢ１３を更新する（ステップＳ７３）。これによって、セグメント管理情報ＤＢ１３の内容は、例えば、図９（ｂ）に示す状態になる。
【００４９】
＜設置＞
作業員Ｐは、セグメントバーコードＢＳが付されたセグメントＳをシールドマシン５に設置し（ステップＴ８１）、シールドマシン５に対して掘削開始を指示する（ステップＴ８２）。シールドマシン５のエレメントはセグメントＳを把持し（ステップＳ８１）、バーコードリーダ５ａはセグメントバーコードＢＳの読み取りを開始する。バーコードリーダ５ａは、セグメントバーコードＢＳからセグメント識別情報を取得し（ステップＳ８２）、取得したセグメント識別情報をシールドマシン５に送信する（ステップＳ８３）。
【００５０】
シールドマシン５のエレメントは、セグメントを組立位置に移動させて設置する（ステップＳ８４）。このとき、シールドマシン５は、セグメントの設置に関する情報を算出し（ステップＳ８５）、取得したセグメント識別情報に関連付けて設置情報をセグメント情報管理装置６に送信する（ステップＳ８６）。設置情報は、例えば、設置日時や設置場所などの情報であってよく、設置場所は、リングＮｏ．と設置角度によって特定される。そして、セグメント情報管理装置６の成型後情報管理手段２５は、シールドマシン５から受信した設置情報でセグメント管理情報ＤＢ１３を更新する（ステップＳ８７）。これによって、セグメント管理情報ＤＢ１３の内容は、例えば、図９（ｃ）に示す状態になる。
【００５１】
以上のように、実施形態に係るセグメント情報管理システム１は、作業員によるバーコードリーダ２を用いた容器バーコードＢＹおよび型枠バーコードＢＫの連続読み取り操作に基づいて、容器識別情報と型枠識別情報とを対応付ける。また、作業員によるバーコードリーダ２を用いた型枠バーコードＢＫおよびセグメントバーコードＢＳの連続読み取り操作に基づいて、型枠識別情報とセグメント識別情報とを対応付ける。
これによって、型枠識別情報をセグメント識別情報に引き継ぐことができるので、セグメント識別情報部をセグメントに付す前の情報である型枠識別情報を適切に管理することができる。なお、型枠識別情報に対して打設作業に関する打設情報を対応づけておけば、さらに打設情報の引き継ぎを行うことも可能である。
また、型枠識別情報を介して容器識別情報をセグメント識別情報に引き継ぐことができるので、セグメント識別情報部をセグメントに付す前の情報である容器識別情報を適切に管理することができる。なお、容器識別情報に対してセグメントに使用されたコンクリートに関するコンクリート情報を対応づけておけば、さらにコンクリート情報の引き継ぎを行うことも可能である。
【００５２】
［変形例］
以上、本発明の実施形態について説明したが、本発明はこれに限定されるものではなく、特許請求の範囲の趣旨を変えない範囲で実施することができる。実施形態の変形例を以下に示す。
【００５３】
実施形態では、識別情報部としてバーコードを想定していた。しかしながら、識別情報部の種類はバーコードに限定されるものではなく、識別情報を格納することができるものであればよい。例えば、バーコードに代えて、ＱＲコード（登録商標）やＲＦＩＤ（Radio Frequency IDentification)タグを用いてもよい。その場合、バーコードリーダ２，４ａ，５ａに代えてＱＲコード（登録商標）やＲＦＩＤから情報を取得可能な装置を読取部として使用する。
【符号の説明】
【００５４】
１      セグメント情報管理システム
２      バーコードリーダ（読取部）
３      入力装置
４      計測装置
４ａ    バーコードリーダ
５      シールドマシン
５ａ    バーコードリーダ
６      セグメント情報管理装置
１０    記憶部
１１    コンクリート情報ＤＢ
１２    型枠情報ＤＢ
１３    セグメント情報管理ＤＢ
２０    制御部
２１    成型前情報管理手段
２２    コンクリート情報取得手段
２３    打設情報取得手段
２４    情報関連付け手段
２５    成型後情報管理手段
Ｙ      コンクリート容器
ＢＹ    容器バーコード（容器識別情報部）
Ｋ      型枠
ＢＫ    型枠バーコード（型枠識別情報部）
Ｓ      セグメント
ＢＳ    セグメントバーコード（セグメント識別情報部）
【図１】
0006656002.tif 000002
【図２】
0006656002.tif 000003
【図３】
0006656002.tif 000004
【図４】
0006656002.tif 000005
【図５】
0006656002.tif 000006
【図６】
0006656002.tif 000007
【図７】
0006656002.tif 000008
【図８】
0006656002.tif 000009
【図９】
0006656002.tif 000010